(57)【要約】【課題】圧縮木材を用いることによって主たる部分を構成しつつも容易に成形を行い得る電子機器用外装体および当該電子機器用外装体によって外装される電子機器を提供する。【解決手段】３次元形状に圧縮成形された複数の木材が組み合わさって成る筐体部材と、前記複数の木材が組み合わされることによって形成される前記筐体部材の空隙部を開閉自在に被覆する蓋部材と、を備える。特に、前記複数の木材の繊維方向が、各木材の長手方向に略平行であって各木材の肉厚方向と交差し、前記蓋部材の少なくとも一つの表面は、前記複数の木材の長手方向に略直交すればより好ましい。【選択図】        図２
2007038492.tif 000002
【特許請求の範囲】
【請求項１】
３次元形状に圧縮成形された複数の木材が組み合わさって成る筐体部材と、
前記複数の木材が組み合わされることによって形成される前記筐体部材の空隙部を開閉自在に被覆する蓋部材と、
を備えたことを特徴とする電子機器用外装体。
【請求項２】
前記空隙部は、電子機器を構成するために前記筐体部材の内部に設けられる機能部材が露出する位置に形成されていることを特徴とする請求項１記載の電子機器用外装体。
【請求項３】
前記機能部材は、電池および／または記憶媒体であることを特徴とする請求項２記載の電子機器用外装体。
【請求項４】
前記複数の木材の繊維方向は、各木材の長手方向に略平行であって各木材の肉厚方向と交差し、
前記蓋部材の少なくとも一つの表面は、前記複数の木材の長手方向に略直交することを特徴とする請求項１〜３のいずれか一項記載の電子機器用外装体。
【請求項５】
前記空隙部は、前記複数の木材のうち少なくとも２つの木材に跨って形成されたことを特徴とする請求項１〜４のいずれか一項記載の電子機器用外装体。
【請求項６】
前記筐体部材をなす複数の木材を接合する接合部材をさらに備えたことを特徴とする請求項１〜５のいずれか一項記載の電子機器用外装体。
【請求項７】
前記蓋部材は、前記接合部材に蝶着されたことを特徴とする請求項６記載の電子機器用外装体。
【請求項８】
前記蓋部材は、圧縮成形された木材から成り、
前記蓋部材をなす木材の繊維方向は、前記蓋部材の長手方向に略平行であるとともに、前記蓋部材の肉厚方向と交差することを特徴とする請求項１〜７のいずれか一項記載の電子機器用外装体。
【請求項９】
前記蓋部材は、金属、熱可塑性樹脂、および硬質ゴムのうち少なくとも一つを含むことを特徴とする請求項１〜８のいずれか一項記載の電子機器用外装体。
【請求項１０】
請求項１〜９のいずれか一項記載の電気機器用外装体によって外装されたことを特徴とする電子機器。
【発明の詳細な説明】
【技術分野】
【０００１】
本発明は、圧縮した木材を用いて形成される電子機器用外装体および当該電子機器用外装体によって外装される電子機器に関する。
【背景技術】
【０００２】
近年、自然素材である木材が注目されている。木材はさまざまな木目を有するため、原木から形取る箇所に応じて個体差が生じ、その個体差が製品ごとの個性となる。また、長期の使用によって生じる傷や色合いの変化自体も、独特の風合いとなって使用者に親しみを生じさせることがある。これらの理由により、合成樹脂や軽金属を用いた製品にはない、個性的で味わい深い製品を生み出すことのできる素材として木材が注目されており、その加工技術も飛躍的に進歩しつつある。
【０００３】
従来、かかる木材の加工技術として、吸水軟化した一枚の木材を圧縮し、その木材を圧縮方向と略平行に切断して板状の一次固定品を得た後、この一次固定品を加熱吸水させながら所定の３次元形状に成形する技術が知られている（例えば、特許文献１を参照）。また、軟化処理した状態で圧縮した一枚の木材を仮固定し、この木材を型に入れて回復させることによって型成形する技術も知られている（例えば、特許文献２を参照）。
【０００４】
このようにして成形された圧縮木材は、電子機器の外装体としても適用し得る程度の強度を備えている（例えば、特許文献３を参照）。
【０００５】
【特許文献１】特許第３０７８４５２号公報
【特許文献２】特開平１１−７７６１９号公報
【特許文献３】特開２００５−１５３３６４号公報
【発明の開示】
【発明が解決しようとする課題】
【０００６】
一般に木材は繊維方向を有しており、この繊維方向に応じて強度にも方向性がある。このため、木材を形取ったときに木材の繊維方向がその木材の肉厚方向に対して略平行となる部分などは木材繊維が短くならざるを得ず、３次元的な成形を行う上で形状に無理が生じ、成形が困難になる場合があった。
【０００７】
本発明は、上記に鑑みてなされたものであり、圧縮木材を用いることによって主たる部分を構成しつつも容易に成形を行い得る電子機器用外装体および当該電子機器用外装体によって外装される電子機器を提供することを目的とする。
【課題を解決するための手段】
【０００８】
上述した課題を解決し、目的を達成するために、請求項１記載の発明に係る電子機器用外装体は、３次元形状に圧縮成形された複数の木材が組み合わさって成る筐体部材と、前記複数の木材が組み合わされることによって形成される前記筐体部材の空隙部を開閉自在に被覆する蓋部材と、を備えたことを特徴とする。
【０００９】
請求項２記載の発明は、請求項１記載の発明において、前記空隙部は、電子機器を構成するために前記筐体部材の内部に設けられる機能部材が露出する位置に形成されていることを特徴とする。
【００１０】
請求項３記載の発明は、請求項２記載の発明において、前記機能部材は、電池および／または記憶媒体であることを特徴とする。
【００１１】
請求項４記載の発明は、請求項１〜３のいずれか一項記載の発明において、前記複数の木材の繊維方向は、各木材の長手方向に略平行であって各木材の肉厚方向と交差し、前記蓋部材の少なくとも一つの表面は、前記複数の木材の長手方向に略直交することを特徴とする。
【００１２】
請求項５記載の発明は、請求項１〜４のいずれか一項記載の発明において、前記空隙部は、前記複数の木材のうち少なくとも２つの木材に跨って形成されたことを特徴とする。
【００１３】
請求項６記載の発明は、請求項１〜５のいずれか一項記載の発明において、前記筐体部材をなす複数の木材を接合する接合部材をさらに備えたことを特徴とする。
【００１４】
請求項７記載の発明は、請求項６記載の発明において、前記蓋部材は、前記接合部材に蝶着されたことを特徴とする。
【００１５】
請求項８記載の発明は、請求項１〜７のいずれか一項記載の発明において、前記蓋部材は、圧縮成形された木材から成り、前記蓋部材をなす木材の繊維方向は、前記蓋部材の長手方向に略平行であるとともに、前記蓋部材の肉厚方向と交差することを特徴とする。
【００１６】
請求項９記載の発明は、請求項１〜８のいずれか一項記載の発明において、前記蓋部材は、金属、熱可塑性樹脂、および硬質ゴムのうち少なくとも一つを含むことを特徴とする。
【００１７】
請求項１０記載の発明に係る電子機器は、請求項１〜９のいずれか一項記載の電気機器用外装体によって外装されたことを特徴とする。
【発明の効果】
【００１８】
本発明によれば、３次元形状に圧縮成形された複数の木材が組み合わさって成る筐体部材と、前記複数の木材が組み合わされることによって形成される前記筐体部材の空隙部を開閉自在に被覆する蓋部材と、を備えることにより、圧縮木材を用いることによって主たる部分を構成しつつも容易に成形を行い得る電子機器用外装体および当該電子機器用外装体によって外装される電子機器を提供することができる。
【発明を実施するための最良の形態】
【００１９】
以下、添付図面を参照して本発明を実施するための最良の形態（以後、実施の形態と称する）を説明する。図１は、本発明の一実施の形態に係る電子機器用外装体および当該電子機器用外装体を用いて外装される電子機器の構成を示す斜視図である。また、図２は、本実施の形態に係る電子機器用外装体の詳細な構成を示す図であり、電子機器の内部の構造を除いた図１の分解斜視図に相当する図である。以後の説明においては、電子機器用外装体のことを単に外装体と呼ぶ。図１および図２に示す外装体１は、電子機器であるデジタルカメラ１００を外装するものであり、筐体部材をなすカバー部材２および３と、カバー部材２とカバー部材３とが組み合わされることによって形成される空隙部を開閉自在に被覆する蓋部材４と、カバー部材２および３を接合するとともに蓋部材４が取り付けられる接合部材５と、を備える。
【００２０】
デジタルカメラ１００の前面側を外装するカバー部材２は、長手方向に沿って一方の端部付近が曲面をなすとともに他方の端部付近が平板状をなす主板部２ａと、この主板部２ａの長手方向に沿うとともに主板部２ａと略直交する方向に立ち上がって延出する略同形の二つの側板部２ｂおよび２ｃを有する。主板部２ａには、撮像レンズを有する撮像部１０１を表出する円筒形状の開口部２１およびフラッシュ１０２を表出する直方体形状の開口部２２が形成されている。また、側板部２ｂには半円筒形状をなす切り欠き２３が形成されている。カバー部材２のうち蓋部材４に対向する端面は凹型形状をなす。このカバー部材２は圧縮成形された木材から成り、その木材繊維方向Ｌ2はカバー部材２の長手方向に略平行であり、カバー部材２の全ての箇所で肉厚方向と交差している。
【００２１】
デジタルカメラ１００の背面側を外装するカバー部材３もカバー部材２と略同形状をなし、長手方向に沿って一方の端部付近が曲面をなすとともに他方の端部付近が平板状をなす主板部３ａと、この主板部３ａの長手方向に沿うとともに主板部３ａと略直交する方向に立ち上がって延出する略同形の二つの側板部３ｂおよび３ｃを有する。主板部３ａには、画像情報や文字情報を表示する表示部を表出する直方体形状の開口部３１が形成されている。また、側板部３ｂには半円筒形状の切り欠き３２が形成されている。このカバー部材３も圧縮成形された木材から成り、その木材繊維方向Ｌ3はカバー部材３の長手方向に略平行であり、カバー部材３の全ての箇所で肉厚方向と交差している。
【００２２】
蓋部材４は、略直方体形状をなす主板部４ａと、主板部４ａの一端部に設けられ、ヒンジ軸４５を介して接合部材５に回動自在に蝶着されて成るヒンジ部４ｂと、このヒンジ部４ｂが取り付けられるのと異なる主板部４ａの端部に設けられ、接合部材５に係止されるフック部４ｃとを備える。この蓋部材４は、金属（アルミニウム、チタン、鉄、ステンレス等）を鋳造するか、あるいは熱可塑性樹脂（ポリアミド、ポリアセタール、ポリエステル、ポリカーボネート、ＡＢＳ等に加えて、それらをガラス繊維などで強化した強化樹脂も含む）を射出成形することによって形成される。また、蓋部材４を硬質ゴムによって形成してもよい。
【００２３】
接合部材５は、略コの字形状をなす金属から成り、カバー部材２とカバー部材３とを接合する。この接合部材５の一方の端部にはヒンジ部５ａが設けられており、蓋部材４のヒンジ部４ｂとともにヒンジ軸４５が挿通されて成る。接合部材５の他方の端部には、蓋部材４のフック部４ｃを係止するための開口部５１が形成されている。接合部材５のカバー部材２の切り欠き２３とカバー部材３の切り欠き３２と対向する位置には、シャッターボタン１０３を取り付けるための開口部５２が形成されている。
【００２４】
図３は、蓋部材４を接合部材５に固着している状態を示す図であり、図１のＡ−Ａ線部分断面図である。この図３に示すように、開口部５１付近の肉厚は、フック部４ｃを開口部５１に係止した状態でフック部４ｃの底面が側板部２ｃおよび３ｃの底面と同一の面をなすために、接合部材５の他の部分の肉厚よりも若干薄い。
【００２５】
図４は、蓋部材４を接合部材５に対して回転し、デジタルカメラ１００の内部を露出させた状態を示す図であり、図３と同じ切断面（図１のＡ−Ａ線）で見たときの部分縦断面図である。この図４に示す状態に到達するには、図３に示す状態でフック部４ｃを開口部５１から取り外し、ヒンジ軸４５を回転中心として蓋部材４を約９０度回転させればよい。このようにして蓋部材４を接合部材５から取り外した空隙部８には、ｘＤピクチャカード等の記憶媒体６（機能部材）を装着する装着用部材が配設されており、記憶媒体６の一部が露出している（後述する図５を参照）。
【００２６】
以上の構成を有する外装体１を組み立てる際には、カバー部材２および３と接合部材５とを接着材等を塗布することによって接着する。なお、図２では図示していないが、例えば接合部材５の側面の適当な位置にボスまたはリブを突設し、組立時にそれらのボスまたはリブをカバー部材２やカバー部材３の縁端部に圧入するようしてもよい。また、カバー部材２および／または３と接合部材５とをビス止め等によって固着してもよい。
【００２７】
図５は、デジタルカメラ１００の内部の概略構成を模式的に示す図であり、図１のＢ−Ｂ線横断面図である。この図５に示すように、デジタルカメラ１００の内部には、撮像処理等に関する駆動制御を行う制御回路１０４、ＣＣＤ（Charge Coupled Device）等の撮像素子１０５、液晶ディスプレイ、プラズマディスプレイ、または有機ＥＬ（Electroluminescence）ディスプレイ等を用いて実現される表示部１０６、および制御回路１０４の制御のもと表示部１０６等を駆動する駆動回路１０７などを含む各種機能部材が収納されている。このうち制御回路１０４は、演算および制御機能を有するＣＰＵ（Central Processing Unit）などによって実現される。また、記憶媒体６を装着する記憶媒体コネクタ１０８や電池７（機能部材）を保持する電池ホルダ１０９なども、蓋部材４を開いたときにそれらの装着部分が外部に露出するように配設されている。
【００２８】
次に、カバー部材２および３の加工方法について説明する。以後の説明では、上述した形状を有するカバー部材２および３を形成する場合を説明するが、ここで説明する加工方法は、他の形状を有する木材に対しても適用可能である。
【００２９】
図６は、カバー部材２およびカバー部材３の原材料となる木材を無圧縮状態の無垢材から形取る状況を模式的に示す説明図である。同図に示すように、カバー部材２および３の原材料となる木材６１を形取る際には、その長手方向が無垢材６０の木材繊維方向Ｌに略平行となるように形取る。この場合、木材６１の主板部６１ａ表面のなす曲面は最終形状に比べてなだらかな曲面であるため、木材６１の肉厚方向と木材繊維方向Ｌとは概ね交差する。特に主板部６１ａの曲面をなす部分以外では、その肉厚方向と木材繊維方向Ｌは略直交するように形取られる。かかる木材６１は、後述する圧縮工程によって減少する分の容積を予め加えた容積を有する。
【００３０】
ところで、図６に示すように木材６１を形取った場合、最も面積が大きい主板部６１ａの表面が柾目面をなすが、木材６１の形取り方はこの場合に限られるわけではない。すなわち、主板部６１ａの長手方向が無垢材６０の木材繊維方向Ｌに略平行であれば無垢材６０の如何なる部分を形取ってもよく、例えば、木材６１の主板部６１ａの表面が板目面や追柾面であってもよい。このように、木材６１の無垢材６０からの形取りについては、外装体１として要求される強度や美観等の条件を考慮して最適なものを採用すればよい。この点に鑑みて、図面で木材６１やカバー部材２および３を記載する際には、それぞれの木目を省略している。
【００３１】
なお、無垢材６０としては、檜、檜葉、桐、杉、松、桜、欅、黒檀、竹、チーク、マホガニー、ローズウッドなどを使用することができ、圧縮木製品の用途や美観等の各種条件に応じて最適な種類を選択すればよい。
【００３２】
続いて、形取った木材６１を所定の３次元形状に圧縮する圧縮工程について説明する。図７は、圧縮工程の概要を示す説明図である。圧縮工程では、一対の金型７１および８１を用いて木材６１を圧縮する。二つの金型のうち、木材６１の上方から木材６１に対して圧縮力を加える金型７１は、下方に突出してカバー部材２の内側面の形状に相当する凸部７２を有する。これに対し、圧縮時に木材６１の下方から木材６１に対して圧縮力を加える金型８１は、下方に窪んで木材６１の外側面の形状に相当する凹部８２を有する。
【００３３】
この圧縮工程を行うに際して、まず木材６１を高温高圧の水蒸気雰囲気中に所定時間放置する。ここでいう高温高圧とは、温度が１００〜２３０℃、より好ましくは１８０〜２３０℃程度であり、圧力が０.１〜３ＭＰａ（メガパスカル）、より好ましくは０.４５〜２.５ＭＰａ程度の状態を指す。これにより、木材６１は過剰に水分を吸収して軟化する。なお、上述した水蒸気雰囲気中で木材６１を放置する代わりに、例えば木材６１をマイクロウェーブの如き高周波の電磁波によって加熱してから圧縮を行ってもよい。
【００３４】
その後、軟化した木材６１を上記同様の水蒸気雰囲気中で圧縮する。具体的には、まず二つの金型７１および８１のうち少なくともいずれか一方の金型を他方の金型に近づけるようにして木材６１を挟持し、圧縮力を加える。図８は、圧縮状態のうち木材６１の変形がほぼ完了した状態を示す縦断面図（図７のＣ−Ｃ線断面に相当）である。この図８に示すように、木材６１を一対の金型７１および８１を用いて圧縮することにより、木材６１は金型７１と金型８１の隙間の三次元形状に相当する略椀状に変形する。図８に示す場合、圧縮後の木材６１の肉厚ｒは、ほぼ均一となる。
【００３５】
図８に示す状態で所定時間放置した後、金型７１と金型８１を離間させて圧縮を解除し、水蒸気雰囲気を解いて木材６１を乾燥させる。ここで、木材６１の材質によっては、二つの金型を離間すると元の形状に戻ってしまう場合もある。この場合には、金型７１および８１によって木材６１を挟持した状態で圧縮を解除して乾燥させればよい。なお、木材６１の乾燥時間が木材６１の形状や種類に応じて変化することはいうまでもない。
【００３６】
無垢材６０から形取った木材６１の肉厚をＲ（＞ｒ）とすると、以上説明した圧縮工程における木材６１の圧縮率Ｃは（Ｒ−ｒ）／Ｒで与えられる。この圧縮率Ｃの具体的な数値は、０.５〜０.７程度であり、特に、木材６１を圧縮して得られるカバー部材２および３を小型の電子機器の外装体として適用する場合には、ｒ＝１.６（ｍｍ）程度が好適である。
【００３７】
なお、カバー部材２および３に形成される開口部や切り欠きは、木材６１を圧縮した後に切削または穿孔等によって形成するが、無垢材６０から木材６１を形取る際に一括して形成してもよい。また、上述した開口部や切り欠き以外にも、ファインダや操作入力ボタンを表出するための開口部や切り欠きを設けてもよいし、デジタルカメラ１００の内部に設けられるスピーカが発生する音声を外部に出力するための音声出力孔部を設けてもよい。
【００３８】
この後、以上の圧縮工程を経て成形されたカバー部材２および３を接合部材５に固着するとともに、ヒンジ軸４５を介して蓋部材４を接合部材５に取り付ける。これにより、外装体１が完成する。
【００３９】
蓋部材４をカバー部材２および／または３と一体の木材として形取り、圧縮成形する場合を考えると、かかる場合には、蓋部材４に相当する部分の木材繊維方向は木材の肉厚方向と略平行になって短くなるため、蓋部材４に相当する部分は、他の部分と比較して強度的に弱くなってしまう。加えて、主板部２ａとの境界で湾曲する部分の外側面の湾曲角度はほぼ直角となるため、成形の難易度も高い上、圧縮によってその湾曲部の外側面に曲げによるバリやわれが生じやすい。
【００４０】
これに対し、本実施の形態に係る外装体１は、強度が弱く成形によってバリやわれを生じやすい部分に別部材である蓋部材４を用いているので、強度的な不具合を解消することができる上、成形自体も容易になる。さらに、蓋部材４を接合部材５に対して開閉自在に取り付けることにより、電子機器用外装体として必須の電池や記憶媒体の装着面を確保することができるので、一段と好ましい。
【００４１】
以上説明した本発明の一実施の形態によれば、３次元形状に圧縮成形された二つの木材（カバー部材）が組み合わさって成る筐体部材と、前記複数の木材が組み合わされることによって形成される前記筐体部材の空隙部を開閉自在に被覆する蓋部材と、を備えることにより、圧縮木材を用いることによって主たる部分を構成しつつも容易に成形を行い得る電子機器用外装体および当該電子機器用外装体によって外装される電子機器を提供することができる。
【００４２】
また、本実施の形態によれば、３次元形状を複数の部分に分割して形成することにより、一枚の木材から加工した場合とは異なり、複数の部分を構成する各々の木材が、極端に強度の弱い部分や方向を持たないため、それらを組み合わせた製品全体としても場所や方向によらず高くかつ一様な強度を有し、成形も容易である。また、加工後にバリやわれ等の不具合を生じる恐れもない。
【００４３】
さらに、本実施の形態によれば、二つのカバー部材の間に金属製の接合部材を介在させることにより、外力の作用に起因するカバー部材の変形を抑制することができ、外装体内部に収容される各種機能部材を保護することができる。
【００４４】
図９は、本発明の一実施の形態の変形例に係る電子機器用外装体の構成を示す斜視図である。同図においてデジタルカメラ２００を外装する外装体１１は、略椀状をなす二つのカバー部材１２および１３が、接合部材１５を介して接合されて成る。このデジタルカメラ２００の側面、すなわちカバー部材１２とカバー部材１３とが組み合わされることによって形成される空隙部２８には、蓋部材１４が筐体部材に対して着脱自在に装着されている。デジタルカメラ２００の内部構成は、デジタルカメラ１００の内部構成と同様であり、蓋部材１４を筐体部材から取り外すと、図示しない記憶媒体６や電池７等の機能部材の一部が、各々を装着する装着用部材に装着された状態で露出するようになっている。
【００４５】
蓋部材１４は、略直方体状をなす主板部１４ａと、この主板部１４ａの対向する端部から突出して筐体部材に係止される二つのフック部１４ｂと、を備える。各フック部１４ｂの先端部は、接合部材１５の端部付近の内側面に穿設される開口部（図示せず）に嵌合、係止される。この蓋部材１４を筐体部材から取り外す際の便宜のため、筐体部材のうち蓋部材１４が装着される空隙部２８に面する上下内側面端部付近には、蓋部材１４を取り出す際に指を引掛けて蓋部材１４を挟持するための引掛部２０１および２０２が設けられている。
【００４６】
図１０は、本発明の一実施の形態の別な変形例に係る電子機器用外装体の構成を示す斜視図である。同図においてデジタルカメラ３００を外装する外装体１６は、二つのカバー部材１７および１８が直接固着されて成る。このうち、カバー部材１７は、上述したカバー部材２などと同様の略椀形状をなすが、カバー部材１８は平板状をなす。このカバー部材１８は、無垢材６０から平板状に形取った木材を一対の金型によって肉厚方向に圧縮することによって形成され、カバー部材１７と接着、ビス止め等によって固着されて筐体部材を形成する。カバー部材１７とカバー部材１８とが組み合わされることによって形成される空隙部３８には、蓋部材１９が着脱自在に装着されている。デジタルカメラ３００の内部構成も、デジタルカメラ１００の内部構成と同様であり、蓋部材１９を筐体部材から取り外すと、図示しない記憶媒体６や電池７等の機能部材の一部が、各々を装着する装着用部材に装着された状態で露出するようになっている。
【００４７】
蓋部材１９は、略直方体形状をなす主板部１９ａと、この主板部１９ａの一方の長辺に沿って所定の間隔で設けられ、カバー部材１７の主板部１７ａの内側面に穿設される溝部（図示せず）に係止される二つのフック部１９ｂと、主板部１９ａの他方の長辺に沿って所定の間隔で設けられ、筐体部材に装着したときにカバー部材１８の内側面に突設される二つの突起部１８１がそれぞれ嵌合される二つの溝部１９ｃと、を備える。
【００４８】
蓋部材１９を筐体部材に装着する際には、二つの溝部１９ｃをカバー部材１８の二つの突起部１８１にそれぞれ嵌合し、フック部１９ｂが設けられた長辺をカバー部材１７に向けて押し付けることによってフック部１９ｂが主板部１７ａの内側面に入っていき、内部の溝部に係止される。蓋部材１９を筐体部材から取り外す際には、フック部１９ｂが設けられた方の長辺を主板部１７ａから離間させる方向に力を加えることによってフック部１９ｂを主板部１７ａの溝部から取り外す。
【００４９】
以上説明した本実施の形態の二つの変形例によれば、上記一実施の形態と同様に、圧縮木材を用いることによって主たる部分を構成しつつも容易に成形を行い得る電子機器用外装体および当該電子機器用外装体によって外装される電子機器を提供することができる。
【００５０】
（その他の実施の形態）
ここまで、本発明を実施する上で最良と思われる一実施の形態を詳述してきたが、本発明はこの実施の形態によってのみ限定されるものではない。例えば、蓋部材として圧縮成形した木材を適用してもよい。この場合には、蓋部材の繊維方向がその蓋部材の長手方向に略平行であるとともに、その蓋部材の肉厚方向と略直交するように無垢材からの形取りを行う。この結果、木材を原材料とするカバー部材や蓋部材において、木材繊維が寸断されて強度が極端に弱くなるような場所や方向がなく、曲げや引張り等に対する強度がどの部分でも高くかつ一様とすることができ、成形も容易である。この意味では、本発明に係る電子機器用外装体は、二つの木材を用いて形成される場合に限られるわけではなく、一般には成形すべき３次元形状に応じて複数の木材を用いることによって形成される。
【００５１】
本発明に係る電子機器用外装体を適用可能な電子機器としては、上述したデジタルカメラの他、携帯電話、ＰＨＳまたはＰＤＡ等の携帯型通信端末、ＭＤ、ＣＤ、ＤＶＤまたはカセットテープ等の音声記録媒体を装着して音声を出力する携帯型オーディオ装置、ＩＣレコーダ、携帯型テレビ、携帯型ラジオ、各種家電製品のリモコン、デジタルビデオなどがある。
【００５２】
このように、本発明は、ここでは記載していないさまざまな実施の形態等を含みうるものであり、特許請求の範囲により特定される技術的思想を逸脱しない範囲内において種々の設計変更等を施すことが可能である。
【図面の簡単な説明】
【００５３】
【図１】本発明の一実施の形態に係る電子機器の構成を示す斜視図である。
【図２】本発明の一実施の形態に係る電子機器用外装体の構成を示す図である。
【図３】図１のＡ−Ａ線部分断面図である。
【図４】蓋部材を開いた状態を示す図である。
【図５】図１のＢ−Ｂ線断面図である。
【図６】木材を無圧縮状態の無垢材から形取る状況を模式的に示す説明図である。
【図７】本発明の一実施の形態に係る電子機器用外装体を加工する際の圧縮工程の概要を示す説明図である。
【図８】圧縮工程における木材圧縮時の状態を示す図である。
【図９】本発明の一実施の形態の変形例に係る電子機器用外装体の構成を示す図である。
【図１０】本発明の一実施の形態の別な変形例に係る電子機器用外装体の構成を示す図である。
【符号の説明】
【００５４】
１、１１、１６  外装体（電子機器用外装体）
２、３、１２、１３、１７、１８  カバー部材
２ａ、３ａ、４ａ、１４ａ、１７ａ、１９ａ、６１ａ  主板部
２ｂ、２ｃ、３ｂ、３ｃ  側板部
４、１４、１９  蓋部材
４ｂ、５ａ  ヒンジ部
４ｃ、１４ｂ、１９ｂ  フック部
５、１５  接合部材
６  記憶媒体（機能部材）
７  電池（機能部材）
８、２８、３８  空隙部
１９ｃ  溝部
２１、２２、３１、５１、５２  開口部
２３、３２  切り欠き
４５  ヒンジ軸
６０  無垢材
６１  木材
７１、８１  金型
７２  凸部
８２  凹部
１００、２００、３００  デジタルカメラ
１０１  撮像部
１０２  フラッシュ
１０３  シャッターボタン
１０４  制御回路
１０５  撮像素子
１０６  表示部
１０７  駆動回路
１０８  記憶媒体コネクタ
１０９  電池ホルダ
１８１  突起部
２０１、２０２  引掛部
Ｌ、Ｌ2、Ｌ3  木材繊維方向
Ｒ、ｒ  肉厚
【図１】
2007038492.tif 000003
【図２】
2007038492.tif 000004
【図３】
2007038492.tif 000005
【図４】
2007038492.tif 000006
【図５】
2007038492.tif 000007
【図６】
2007038492.tif 000008
【図７】
2007038492.tif 000009
【図８】
2007038492.tif 000010
【図９】
2007038492.tif 000011
【図１０】
2007038492.tif 000012